【手続補正書】
【提出日】平成19年6月20日(2007.6.20)
【手続補正１】
【補正対象書類名】明細書
【補正対象項目名】発明の名称
【補正方法】変更
【補正の内容】
【発明の名称】画像符号化装置
【手続補正２】
【補正対象書類名】明細書
【補正対象項目名】特許請求の範囲
【補正方法】変更
【補正の内容】
【特許請求の範囲】
【請求項１】  符号化画像を生成する画像符号化装置において、
動画像を構成する複数のフレームを符号化して符号化画像を生成する符号化手段と、
予め設定された間隔に基づいて前記各フレームの第１の再生基準時間を計算する再生タイミング計算手段と、
前記符号化手段で生成された符号化画像と前記再生タイミング計算手段で求められた第１の再生基準時間とからパケットを生成するパケット生成手段と、
前記符号化手段で符号化されるフレームのスキップの有無、及びフレームのスキップ数を検出するスキップ検出手段とを備え、
前記再生タイミング計算手段は、前記スキップ検出手段がフレームのスキップを検出すると、フレームのスキップが検出される直前のフレームを含むパケットに設定された第１の再生基準時間に、前記予め設定された間隔とスキップ数から求めた時間に基づいて第２の再生基準時間を求め、この第２の再生基準時間をスキップ後のフレームの再生時間として前記パケットに設定すること
を特徴とする画像符号化装置。
【請求項２】  符号化画像を生成する画像符号化装置において、
動画像を構成する複数のフレームを符号化するとともに、各フレームの入力時間を付加して符号化画像を生成する符号化手段と、
予め設定された間隔に基づいて前記各フレームの第１の再生基準時間を計算する再生タイミング計算手段と、
前記符号化手段で生成された符号化画像と前記再生タイミング計算手段で求められた第１の再生基準時間とからパケットを生成するパケット生成手段と、
前記符号化手段で符号化されるフレームのスキップの有無、及びフレームのスキップ数を検出するスキップ検出手段とを備え、
前記再生タイミング計算手段は、前記スキップ検出手段がフレームのスキップを検出すると、フレームのスキップが検出される直前のフレームを含むパケットに設定された第１の再生基準時間に、前記予め設定された間隔とスキップ数から求めた時間に基づいて第２の再生基準時間を求め、この第２の再生基準時間をスキップ後のフレームの再生時間として前記パケットに設定すること
を特徴とする画像符号化装置。
【請求項３】  前記再生タイミング生成手段は、連続して符号化するフレームに付与された前記入力時間の差を前記設定された間隔で割ることによってフレームのスキップ数を求めることを特徴とする請求項２に記載の画像符号化装置。
【請求項４】  マルチメディアデータを生成する画像符号化装置において、
前記マルチメディアデータに含まれる動画像を構成する複数のフレームを符号化して符号化画像を生成する画像符号化手段と、
前記マルチメディアデータに含まれるオーディオデータを予め定められたサンプル単位で符号化して符号化オーディオデータを生成するオーディオ符号化手段と、
予め設定された第１の間隔に基づいて前記各フレームの第１の再生基準時間を計算する動画像再生タイミング計算手段と、
予め定められた第２の間隔に基づいて前記各サンプル単位の第２の再生基準時間を計算するオーディオ再生タイミング計算手段と、
前記動画像符号化手段で生成された符号化画像と前記動画像再生タイミング計算手段で求められた第１の再生基準時間とから動画像パケットを生成する動画像パケット生成手段と、
前記前記オーディオ符号化手段で生成された符号化オーディオデータと前記オーディオ再生タイミング計算手段で求められた第２の再生基準時間とからオーディオパケットを生成するオーディオパケット生成手段と、
前記動画像符号化手段で符号化されるフレームのスキップの有無、及びフレームのスキップ数を検出するスキップ検出手段とを備え、
前記動画像再生タイミング計算手段は、前記スキップ検出手段がフレームのスキップを検出すると、フレームのスキップが検出される直前のフレームを含む動画像パケットに設定された第１の再生基準時間に、前記予め設定された間隔とスキップ数から求めた時間に基づいて第３の再生基準時間を求め、この第３の再生基準時間をスキップ後のフレームの再生時間として前記動画像パケットに設定すること
を特徴とする画像符号化装置。
【請求項５】  マルチメディアデータを生成する画像符号化装置において、
前記マルチメディアデータに含まれる動画像を構成する複数のフレームを符号化するとともに、各フレームの入力時間を付加して符号化画像を生成する画像符号化手段と、
前記マルチメディアデータに含まれるオーディオデータを予め定められたサンプル単位で符号化して符号化オーディオデータを生成するオーディオ符号化手段と、
予め設定された第１の間隔に基づいて前記各フレームの第１の再生基準時間を計算する動画像再生タイミング計算手段と、
予め定められた第２の間隔に基づいて前記各サンプル単位の第２の再生基準時間を計算するオーディオ再生タイミング計算手段と、
前記動画像符号化手段で生成された符号化画像と前記動画像再生タイミング計算手段で求められた第１の再生基準時間とから動画像パケットを生成する動画像パケット生成手段と、
前記オーディオ符号化手段で生成された符号化オーディオデータと前記オーディオ再生タイミング計算手段で求められた第２の再生基準時間とからオーディオパケットを生成するオーディオパケット生成手段と、
前記動画像符号化手段で符号化されるフレームのスキップの有無、及びフレームのスキップ数を検出するスキップ検出手段とを備え、
前記動画像再生タイミング計算手段は、前記スキップ検出手段がフレームのスキップを検出すると、フレームのスキップが検出される直前のフレームを含む動画像パケットに設定された第１の再生基準時間に、前記予め設定された間隔とスキップ数から求めた時間に基づいて第３の再生基準時間を求め、この第３の再生基準時間をスキップ後のフレームの再生時間として前記パケットに設定すること
を特徴とする画像符号化装置。
【請求項６】  前記動画像再生タイミング生成手段は、連続して符号化するフレームに付与された前記入力時間の差を前記設定された間隔で割ることによってフレームのスキップ数を求めることを特徴とする請求項５に記載の画像符号化装置。
【手続補正３】
【補正対象書類名】明細書
【補正対象項目名】０００１
【補正方法】変更
【補正の内容】
【０００１】
【発明の属する技術分野】
この発明は例えばビデオ、オーディオ等の異なるメディア情報を多重化して伝送する情報データ多重化伝送システムおよび同システムに適用される時間情報生成方法に関し、特にビデオ符号化においてフレームスキップを起こすことが予想される符号化方式（ＭＰＥＧ−４  Ｖｉｓｕａｌ等）を使用した画像符号化装置に関する。
【手続補正４】
【補正対象書類名】明細書
【補正対象項目名】０００９
【補正方法】変更
【補正の内容】
【０００９】
本発明はこのような事情を考慮してなされたものであり、原画像に対して不規則なフレームスキップを起こす可能性のある符号化方式を採用した場合でも、送信側でフレームスキップを考慮した時間情報を挿入できるようにし、受信側で他メディアとの時間的な対応をとって再生（同期再生）を行うことが可能な画像符号化装置を提供することを目的とする。
【手続補正５】
【補正対象書類名】明細書
【補正対象項目名】００１０
【補正方法】変更
【補正の内容】
【００１０】
【課題を解決するための手段】
上述の課題を解決するため、本発明は、符号化画像を生成する画像符号化装置において、動画像を構成する複数のフレームを符号化して符号化画像を生成する符号化手段と、予め設定された間隔に基づいて各フレームの第１の再生基準時間を計算する再生タイミング計算手段と、符号化手段で生成された符号化画像と再生タイミング計算手段で求められた第１の再生基準時間とからパケットを生成するパケット生成手段と、符号化手段で符号化されるフレームのスキップの有無、及びフレームのスキップ数を検出するスキップ検出手段とを備え、再生タイミング計算手段は、スキップ検出手段がフレームのスキップを検出すると、フレームのスキップが検出される直前のフレームを含むパケットに設定された第１の再生基準時間に、予め設定された間隔とスキップ数から求めた時間に基づいて第２の再生基準時間を求め、この第２の再生基準時間をスキップ後のフレームの再生時間として上記パケットに設定することを特徴とする。
【手続補正６】
【補正対象書類名】明細書
【補正対象項目名】００１１
【補正方法】変更
【補正の内容】
【００１１】
この画像符号化装置によれば、動画像を構成する複数のフレームを符号化して符号化画像を生成し、予め設定された間隔に基づいて各フレームの第１の再生基準時間を計算する。そして、上記符号化画像と上記第１の再生基準時間とからパケットを生成し、符号化されるフレームのスキップの有無、及びフレームのスキップ数を検出する。
【手続補正７】
【補正対象書類名】明細書
【補正対象項目名】００１２
【補正方法】変更
【補正の内容】
【００１２】
そして、上記第１の再生基準時間を計算する際に、フレームのスキップを検出すると、フレームのスキップが検出される直前のフレームを含むパケットに設定された第１の再生基準時間に、予め設定された間隔とスキップ数から求めた時間に基づいて第２の再生基準時間を求め、この第２の再生基準時間をスキップ後のフレームの再生時間としてパケットに設定するようにしている。
【手続補正８】
【補正対象書類名】明細書
【補正対象項目名】００４３
【補正方法】変更
【補正の内容】
【００４３】
【発明の効果】
以上説明したように、本発明によれば、画像に対して不規則なフレームスキップを起こす可能性のある符号化方式を採用した場合でも、送信側でフレームスキップを考慮した時間情報を挿入できるようにした画像符号化装置を提供できる。